(57)【要約】  いくつかの実施形態では、イコライザは、信号を受信し、該受信信号に基づきシンボルを生成する。さらに、シンボルに関連するエラー分布に少なくとも一部基づき、イコライザの動作モードを決定すべく、コントローラが提供される。【選択図】なし
2008544709.tif 000002
【特許請求の範囲】
【請求項１】
装置であって、
シンボルを生成する一の判定ユニットと、
前記シンボルに関連する一のエラー分布に少なくとも一部基づき、一の動作モードを決定する一のモードコントローラと、
を含む装置。
【請求項２】
前記エラーは、前記シンボル、および、一組のトレーニングモードシンボルに関連する、請求項１に記載の装置。
【請求項３】
前記判定ユニットは、ハードシンボルを生成し、前記エラー分布は、前記ハードシンボルに関連する、請求項１に記載の装置。
【請求項４】
タップ係数に関連する一のフィルタをさらに備え、前記タップ係数は、前記エラー分布がガウス分布に近似していないときの一の第１の適合モードと、前記エラー分布がガウス分布に近似しているときの一の第２の適合モードとにおいてアップデートされる、請求項３に記載の装置。
【請求項５】
前記モードコントローラは、四次統計に関連する情報を用い、前記エラー分布がガウス分布に近似していないかどうかを決定する、請求項４に記載の装置。
【請求項６】
前記モードコントローラは、自動回帰フィルタを用いて前記四次統計を近似させる、請求項５に記載の装置。
【請求項７】
前記フィルタは、
それぞれ一の係数と関連する複数のタップを有する一のフィードフォワードフィルタであって、一の信号を受信し、かつ、一の出力を生成するフィードフォワードフィルタと、
それぞれ一の係数と関連する複数のタップを有する一のフィードバックフィルタであって、前記ハードシンボルを受信し、かつ、一の出力を生成するフィードバックフィルタとをさらに含み、
前記フィードフォワードフィルタおよび前記フィードバックフィルタの出力の組み合わせを受信し、かつ、前記ハードシンボルを生成する一のスライサをさらに含む、請求項４に記載の装置。
【請求項８】
前記係数は、前記スライサエラー分布がガウス分布に近似していないときの一のブラインド適合モードでアップデートされる、請求項７に記載の装置。
【請求項９】
前記モードコントローラは、Ｋ［ｓｅ］および少なくとも１つの予め決められた閾値に基づき前記スライサエラー分布がガウス分布に近似していないことを決定し、ｓｅは、前記スライサエラーに関連し、Ｅは、一の統計的期待値を示し、Ｋ［ｓｅ］は、Ｅ［ｓｅ４］−３（Ｅ［ｓｅ２］）２として定義される、請求項８に記載の装置。
【請求項１０】
前記モードコントローラは、Ｋ［ｓｅ］が一の予め決められたシンボル数の一の最小閾値を下回るかまたは一の最大閾値を上回ったままのとき、イコライザが前記ブラインド適合モードに遷移することを決定する、請求項９に記載の装置。
【請求項１１】
前記モードコントローラは、Ｋ［ｓｅ］が一の予め決められたシンボル数の一の最小閾値を上回るかまたは一の最大閾値を下回ったままのとき、イコライザが一の決定指示適合モードに遷移することを決定する、請求項９に記載の装置。
【請求項１２】
前記スライサは、一の残留側波帯マルチレベルスライサである、請求項７に記載の装置。
【請求項１３】
前記モードコントローラは、トレーニングシンボルが検出されたとき、一のイコライザのための動作の一のトレーニングモードを決定する、請求項３に記載の装置。
【請求項１４】
前記装置は、（ｉ）一のレシーバ、（ｉｉ）一のデジタルビデオ放送受信機、（ｉｉｉ）一のテレビジョン、（ｉｖ）一のセットトップボックス、（ｖ）一のデジタル・ビデオテープ・レコーダ、または、（ｖｉ）一のメディアセンターの少なくとも１つに関連する、請求項３に記載の装置。
【請求項１５】
方法であって、
複数のシンボルを生成すべく一のデジタルビデオを均一化することと、
前記均一化することに関連するフィルタタップ係数を一の第１のモードでアップデートすることと、
一のエラー分布に基づき、十分な収束が起きているかどうか決定することと、
前記決定に基づき、前記係数を一の第２のモードでアップデートすることと、
を含む方法。
【請求項１６】
前記第１のモードは、一のブラインド適合モードであり、前記第２のモードは、一の平均最小二乗アルゴリズムに関連する、請求項１５に記載の方法。
【請求項１７】
前記均一化することに先立ち、前記係数を初期化することをさらに含む、請求項１５に記載の方法。
【請求項１８】
デジタルビデオ信号におけるトレーニングシンボルを検出することと、
前記検出に基づき、前記係数を一の第３のモードでアップデートすることと、
をさらに含む、請求項１５に記載の方法。
【請求項１９】
前記エラー分布に基づき、十分な収束が失われているかどうかを決定することと、
前記決定に基づき、前記係数を前記第１のモードでアップデートすることと、
をさらに含む、請求項１５に記載の方法。
【請求項２０】
装置であって、
それぞれ一の係数と関連する複数のタップを有する一のフィードフォワードフィルタであって、一の地上デジタルビデオ信号を受信し、かつ、一の出力を生成するフィードフォワードフィルタと、
それぞれ一の係数と関連する複数のタップを有する一のフィードバックフィルタであって、複数のシンボルを受信し、かつ、一の出力を生成するフィードバックフィルタと、
前記フィードフォワードフィルタおよび前記フィードバックフィルタの出力の組み合わせを受信し、かつ、前記シンボルを生成する一のマルチレベルスライサと、
前記スライサに関連する一のエラー分布に基づく複数のアルゴリズムの１つに従いアップデートされる前記係数を設定する状態機械論理と、
を含む装置。
【請求項２１】
前記状態機械論理は、（ｉ）一の初期状態、（ｉｉ）一のブラインド適合状態、（ｉｉｉ）一の決定指示適合状態、または、（ｉｖ）一のトレーニング状態の少なくとも１つに関連する、請求項２０に記載の装置。
【請求項２２】
前記状態機械論理は、前記エラーに関連するｎ番目の順序統計量を推定し、ｎは、３以上である、請求項２０に記載の装置。
【請求項２３】
システムであって、
一のスライサと、
前記スライサに関連する一のエラー分布に少なくとも一部基づき一のイコライザ動作モードを決定する一のコントローラと、
前記スライサにより生成されるハードシンボルに関連する情報を一の外部デバイスに提供するデジタルビデオ出力ポートと、
を含むシステム。
【請求項２４】
タップ係数は、Ｋ［ｓｅ］が一の予め決められたシンボル数の一の最小閾値を下回るかまたは一の最大閾値を上回ったままのときの一のブラインド適合モードでアップデートされ、ｓｅは、前記エラーに関連し、Ｅは、一の統計的期待値を示し、Ｋ［ｓｅ］は、Ｅ［ｓｅ４］−３（Ｅ［ｓｅ２］）２として定義される請求項２３に記載のシステム。
【請求項２５】
前記システムは、（ｉ）一のレシーバ、（ｉｉ）一のデジタルビデオ放送受信機、（ｉｉｉ）一のテレビ、（ｉｖ）一のセットトップボックス、（ｖ）一のデジタルビデオテープレコーダ、または、（ｖｉ）一のメディアセンターの少なくとも１つと関連する、請求項２３に記載のシステム。
【発明の詳細な説明】
【背景技術】
【０００１】
装置は、受信信号に基づきシンボルを生成する。例えば、レシーバは、デジタルテレビジョン信号を受信して、視聴者のための画像を生成すべく用いられ得るシンボルを生成するかもしれない。いくつかのケースでは、フィルタによってレシーバの性能を向上させることができる。例えば、フィルタは、受信信号が実質的な量のノイズおよび／またはエコーを含む場合でも、レシーバが正しいシンボルを生成する助けとなり得る。
【発明を実施するための最良の形態】
【０００２】
図１は、いくつかの実施形態に従う信号を受信する装置１００のブロック図である。装置１００は、例えば、Ａｄｖａｎｃｅｄ  Ｔｅｌｅｖｉｓｉｏｎ  Ｓｙｓｔｅｍｓ  Ｃｏｍｍｉｔｔｅｅ（ＡＴＳＣ）規格Ａ／５３Ｃ、Ｒｅｖ．Ｃ（２００４）に関連するデジタルテレビジョン信号を受信するレシーバを含んでよい。装置１００は、例えば、テレビ、セットトップボックス、デジタルビデオテープレコーダ（ＤＶＲ）、または、メディアセンターに関連してよい。
【０００３】
いくつかの実施形態によれば、装置１００のアナログフロントエンド１１０は、大気圏にばら撒かれている地上デジタルビデオ信号を受信する。この場合、受信された信号は、「疑似マルチパスおよびノイズの存在におけるＡＴＳＣ８−レシーバパフォーマンスの評価」（１９９９）と題されたＡＴＳＣ文献番号９９−０４Ａに記載されるような実質的なノイズおよび／またはエコー量を含む可能性がある。いくつかの実施形態によれば、装置１００は、残留側波帯（ＶＳＢ）レシーバに関連する。アナログフロントエンド１１０は、例えば、デジタルビデオ信号を受信し、かつ、アナログ・デジタル（Ａ／Ｄ）に出力を提供するチューナ１１２を含んでよい。Ａ／Ｄコンバータ１１４は、例えば、デジタルサンプリングを用いることにより、４４メガヘルツ（ＭＨｚ）アナログ信号を、その信号の適切なデジタル表現に変換できる。自動利得制御（ＡＧＣ）回路１２０は、デジタル信号を受信し、かつ、信号が適切なレベルに維持されることを確実にする手助けとなるべくチューナ１１２に情報を提供してよい。
【０００４】
周波数・位相ロックループ（ＦＰＬＬ）回路１３０およびタイミングリカバリ回路１４０（例えばシンボル同期用）は、信号内にマルチパスが存在する（例えば地上デジタル信号が大気圏中を伝送される間に生じるエコーが原因で）場合であっても、正しいシンボルを生成する助けとなるべくイコライザ１５０およびフォワードエラーコレクション（ＦＥＣ）コーディング回路１６０により処理される信号を生成すべく用いられてよい。そして、シンボルは、情報を視聴者に提供すべく用いられ得るビデオストリーム、オーディオストリーム、および／または、データストリームストリームを生成するデマルチプレクサ１７０により処理されてよい。
【０００５】
図２は、いくつかの実施形態に従うイコライザ２００のブロック図である。イコライザ２００は、大気圏中にばら撒かれた現在のシンボル２０２に関連する信号を受信できる。いくつかのケースでは、受信信号は、前のシンボル２０４、および／または、次のシンボル２０６が原因で劣化する。イコライザ２００の１つの機能は、このようなシンボル間干渉（ＩＳＩ）がある場合でも正しい「ハード」なシンボルを生成することであってよい。
【０００６】
次のシンボルの立ち上がりエッジ（例えば前のカーソルＩＳＩ）の干渉を減らすべく、イコライザ２００は、マルチタップ・フィードフォワードフィルタ２１０を含んでよい。フィードフォワードフィルタ２１０の各タップは、受信信号を調整する係数と関連付けられてよい。その後、これらの係数は、イコライザ２００のパフォーマンスを向上させるべく、タップ係数アップデートユニット２５０によりアップデートされることができる。
【０００７】
同様に、イコライザ２００は、前の信号の立ち下がりエッジ（例えば後ろのカーソルＩＳＩ）により生成される干渉を減らすフィードバックフィルタを含んでよく、フィードバックフィルタ２２０の各タップは、タップ係数アップデートユニット２０５によりアップデートされ得る係数に関連してよい。特に、フィードフォワードフィルタ２１０の出力は、フィードバックフィルタ２００の出力に（例えば加算器２３０を介し）加算され、結果として生じた「ソフト」シンボルは、該ソフトシンボルに基づき「ハード」シンボルを生成する判断ユニット２４０に提供されてよい。例えば、ソフトシンボル「５．３」が判断ユニット２４０により受信される場合は、８−ＶＳＢ群が「推奨案：ＡＴＳＣデジタルテレビジョン規格の使用案内」（２００３）と題されたＡＴＳＣ書類番号Ａ／５４Ｂの推奨どおりに用いられれば、「５」が適切なハードシンボルであると決定され得る。フィードバックフィルタ２２０がハードシンボルを受信するように図２では示されるが、いくつかの実施形態によれば、フィードバックフィルタ２２０は、イコライザ２００の動作モードに依存するソフトシンボルまたは同期情報を受信できる。
【０００８】
イコライザ２００は、異なるモードで動作し、各モードは、タップ係数をアップデートするよう異なるアルゴリズムを用いることができる。例えば、イコライザ２００は、受信信号に関する十分な情報が決定される（例えば、信号が少なくとも部分的に「収束」する）までは、第１のモードで動作してよい。受信信号に関する十分な情報が決定された後、イコライザ２００は、タップ係数をより良く調整すべくこの情報を用いる他のモードへと切り替わってよい。
【０００９】
モードコントローラ２６０は、ソフトおよびハードシンボルに基づき適切なモード動作を選択し得る。例えば、モードコントローラ２６０は、ソフトシンボルとハードシンボルとの差（例えば「エラー」大きさ）に基づき動作のモードを変えてよい。しかしながら、このようなアプローチは、高ノイズ環境においては信頼性がないかもしれない（たとえ収束が起きていてもエラーが高すぎるなどの理由で）。他のアプローチとしては、モードコントローラ２６０は、モードが変化すべきときを決定するようサトウまたはゴダードのブラインド統計誤差を用いてよい。収束が起きるとこれらのブラインド誤差の平均はゼロに近づいていくだろうが、それらの瞬時値は、まだかなり大きい可能性がある。さらに、これらの値の長期平均を使用する試みは、便利ではない、あるいは、効果的でないかもしれない。
【００１０】
いくつかの実施形態によれば、イコライザ２００に関連するエラー分布（例えば、図６に関連して述べられるスライサエラー）が動作モードを決定すべく用いられる。例えば、図３は、比較的少量のノイズがある場合の収束前３１０および収束後３２０のイコライザ２００に関連するエラー分布（例えばヒストグラム）を示してよい。収束後３２０のエラーの統計分布は、実質的にガウス分布形状であることに注目されたい。
【００１１】
さらに、図４は、例えば１５デシベル（ｄＢ）の加算性ホワイトガウス分布ノイズ（ＡＷＧＮ）などの比較的ノイズ量が多い場合の収束前４１０および収束後４２０のイコライザ２００に関連するエラー分布を示してよい。この場合、収束後４２０のエラーの統計分布も、実質的にガウス分布形状を有する。このように、いくつかの実施形態によれば、（ノイズによって収束後もエラー４２０がかなり多く残る可能性がある場合であっても）エラー４２０の形状および分布は、動作モードを決定すべく用いられる。
【００１２】
図５は、いくつかの実施形態に従うモード選択方法のフローチャートである。方法は、例えば、図２に関して説明されるようなモードコントローラ２６０により実行されてよい。フローチャートは、必ずしも動作への固定の順序を意味するわけではなく、実施形態は、実行可能ないかなる順序でも実行され得る。本願明細書に記載される方法のいずれも、ハードウェア、ソフトウェア（マイクロコードを含む）、ファームウェア、または、それらのアプローチの任意の組み合わせにより実行されてよい。例えば、記憶媒体は、機械により実行されることにより、本願明細書中に記載される任意の実施形態に従い動作させる命令を格納し得る。
【００１３】
５０２では、タップ係数が初期化される。例えば、タップ係数は、イコライザがオンされるかまたはリセットされるときのデフォルト値に初期化される。デフォルト値は、例えば、インパルスセットであってよい（例えば、中心タップの係数は、「１」に設定され、他のすべての係数は、「０」に設定されてよい）。
【００１４】
その後、デジタルビデオ信号は、ハードシンボルを生成するよう均一化され、５０４において、ハードシンボルに関連するエラー分布が決定される。十分な収束を示すエラー分布が得られていない場合（分布がガウス分布に近似していないなど）、タップ係数は、５０６において第１のモードでアップデートされ、プロセスは、繰り返される。エラー分布が十分な収束が起きたことを示した後、タップ係数は、代わりに５０８において第２のモードでアップデートされる。収束が失われていることを後に分布が示す場合、イコライザは、第１のモードへと戻る。
【００１５】
図６は、いくつかの実施形態に従うイコライザ６００のブロック図である。特に、イコライザ６００は、地上デジタルビデオ信号を受信し、かつ、出力を生成する６４タップフィードフォワードフィルタを含む。イコライザ６００は、また、ハードシンボルを受信し、かつ、出力を生成する３４０タップフィードバックフィルタも含む。アップデータ６５０は、両フィルタ６１０および６２０のタップ係数の値を調整する。
【００１６】
マルチレベルスライサ６４０は、（ソフトシンボルを提供する加算器６３０を介し）フィードフォワードフィルタ６１０およびフィードバックフィルタ６２０の出力の組み合わせを受信して、ハードシンボルを生成する。状態マシン決定論理６６０は、スライサエラーの分布（ソフトシンボルとハードシンボルとの間の差の分布）に基づき、イコライザ６００に関連する動作モードを決定してよい。フィードバックフィルタ６２０がハードシンボルを受信するよう図６に示されているが、いくつかの実施形態によれば、フィードバックフィルタ６２０は、イコライザ６００の動作モードに従いソフトシンボルまたは同期情報を受信してもよいことに注目されたい。
【００１７】
例えば、スライサエラーの分布がガウス分布に近似していない場合、決定論理６６０は、イコライザ６００に「ブラインド」適合モードで動作させてもよい。例えば、ブラインド適合モードは、結果として収束を生じ、信頼できないスライサ６４０の決定の原因となる高レベルノイズの影響はあまり受けないであろう。ブラインド適合モードは、ソフトシンボルに基づいてよく、例えば、サトウ、ゴダード、および／または、派生信号エラーアルゴリズムに関連し得る。しかしながら、ブラインド適合モードは、実質的な見逃しエラーを有する可能性もあり、また、許容範囲内の信号−ノイズ比率（ＳＮＲ）は提供できないかもしれない。
【００１８】
スライサエラーの分布がほぼガウス分布になるとき、決定論理６６０は、イコライザ６００を「決定指示」適合モードで動作させてよい。すなわち、イコライザが十分収束されている（例えば、スライサ６４０の決定は、送信された可能性のあるシンボルに近似することに対し十分信頼性が高い）場合、イコライザ６００は、ＳＮＲを向上させるべくこの情報を用いてよい。決定指示適合モードは、例えば、最小平均二乗誤差（ＭＭＳＥ）および／または平均最小二乗（ＬＭＳ）アルゴリズムに関連し得る。
【００１９】
図７は、いくつかの実施形態に従うイコライザに関連する状態図７００である。特に、イコライザは、ブラインド適合と決定指示適合アルゴリズムとの間の動的変更により異なる状態またはモードで有効に動作できる。ブラインド適合状態は、群れの目を開かせるための「コールドスタート」として用いることもでき、一旦半収束が実現すると（スライサエラーの実質的なガウス分布により明らかにされたように）、イコライザは、ＭＭＳＥを向上させるべく決定指示状態へと切り替わってよい（結果としてより良いＳＮＲ群になる）。半収束状態でないときは（スライサエラーの非ガウス分布により明らかにされたように）、イコライザは、ブラインド適合状態へと戻る。
【００２０】
図７には２つの状態が示されているが、イコライザは、他の状態で動作してもよい。例えば、図８は、他の実施形態に従うイコライザに関連する状態図８００である。この場合、イコライザは、初期状態（例えば、デフォルトタップ係数が設定される）で開始する。その後、ブラインド適合状態は、半収束に達するまでになってよい。半収束に達すると、イコライザは、決定指示適合状態へ切り替わる。ブラインドまたは決定指示適合状態のいずれかでは、イコライザは、同期が検出されるとき、「トレーニング」状態へと（から）遷移する。トレーニング状態は、例えば、トレーニングシンボルの予め決められたシーケンスがレシーバにより検出され、（また、それらのトレーニングシンボルからエラーが導かれる）場合に用いられてよい。いくつかの実施形態によれば、トレーニングシンボルのシーケンスを検出すべくｎタップ相関器が用いられる（ｎは、シーケンスの一部の長さに関連する）。
【００２１】
不適切な時間でのブラインド適合状態と決定指示適合状態との間の切り替えがイコライザの性能を下げる可能性があることに留意されたい。例えば、あまり長い間ブラインド適合状態のままであると、正しいレシーバロックを遅らせ、正しいビットエラー率を達成するのに必要な時間が増える可能性がある。逆マルチパス状況では、所望のＳＮＲおよび／または可視性の閾値（ＴＯＶ）は、全く生じないであろう。しかしながら、ノイズがある場合、決定指示適合状態に早まって切り替えると、収束の妨げとなるか、あるいはまた、好ましくないＳＮＲを招くこともある。同様に、チャネルが急に変化した場合に決定指示適合状態のままだと、イコライザを不安定にすることがある。
【００２２】
いくつかの実施形態によれば、イコライザに関連するエラー分布は、ブラインド適合状態と決定指示適合状態との間を切り替える適切な時間を決定する。例えば、エラーに関連するｎ番目の順序統計量が用いられることにより（ｎは３以上）、エラー分布がほぼガウス分布かどうかが決定される。分布がほぼガウス分布である場合、十分な収束が得られており、その結果、決定指示状態への遷移は適切であろう。
【００２３】
一実施形態によれば、四次統計または尖度に関連する情報は、エラー分布がほぼガウス分布かどうかを決定するために用いられる。例えば、決定は、Ｋ［ｓｅ］および少なくとも１つの予め決められた閾値に基づいてよく、ｓｅは、スライサエラーに関連し、Ｅは、統計的期待値を示し、Ｋ［ｓｅ］は、Ｅ［ｓｅ４］−３（Ｅ［ｓｅ２］）２として定義される。ガウス型過程の尖度は、ゼロ（Ｋ［ＳＥＧｎｏｉｓｅ］＝０）であることに留意されたい。さらに、尖度は、線形作用素であり、合計の尖度は、尖度（Ｋ［ＳＥｒｅｆｌｅｃｔｉｏｎｓ＋Ｇｎｏｉｓｅ］＝Ｋ［ＳＥｒｅｌｅｃｔｉｏｎｓ］＋Ｋ［ＳＥＧｎｏｉｓｅ］＝Ｋ［ＳＥｒｅｌｅｃｔｉｏｎｓ］＋０）の合計である。したがって、一旦イコライザが収束し始めると、スライサエラーの尖度の値はゼロに近くなり、イコライザが収束されないときはゼロでなくなる（ノイズがあるなしに関わらず）。
【００２４】
この場合、Ｋ［ｓｅ］が予め決められた期間の最小閾値を下回るかまたは最大閾値を上回ったままの場合（例えば図８の１００シンボル）、イコライザは、ブラインド適合モードに遷移する可能性がある。同様に、Ｋ［ｓｅ］が予め決められた期間の最小閾値を上回るかまたは最大閾値を下回ったままの場合（例えば図８の１０、０００シンボル）、イコライザは、決定指示適合モードに遷移する可能性がある。実行次第では、最小および最大閾値は、ゼロの付近で対称でないかもしれない。例えば、−０．４と０．２との間のままであるとき、Ｋ［ｓｅ］は、「小さい」とみなされてよい。
【００２５】
尖度は、統計的平均算出を用いて計算されることができる。いくつかの実施形態によれば、尖度は、代わりに、時間平均算出を用いて近似される。例えば、図９は、いくつかの実施形態に従う自動回帰フィルタを用いた四次統計に近似させる回路９００のブロック図である。特に、乗算器９１０は、ＳＥをそれ自体で逓倍してｓｅ２を生成し、デジタルフィルタ９２０は、長期平均算出を使用してＥ［ｓｅ２］を生成する。そして他の乗算器９３０は、３（Ｅ［ｓｅ２］）２を生成できる。さらに他の乗算器９４０は、ｓｅ２を受信してｓｅ４を生成し、また、他のデジタルフィルタ９５０は、Ｅ［ｓｅ４］を提供する。加算器９６０は、例えば、負数３（Ｅ［ｓｅ２］）２と正数Ｅ［ｓｅ４］とを組み合わせてよく、第３のデジタルフィルタ９７０は、Ｋ［ｓｅ］を出力する。
【００２６】
この方法では、信号に高ノイズレベルおよび／またはエコーが存在する場合でも、強力で有能なイコライザを提供できる。さらに、イコライザの収束が達成でき、許容範囲内のＳＮＲ値が得られるだろう。このようなイコライザは、例えば、図１０に示されるようなシステム１０００において利用され得る。システム１０００は、例えば、セットトップボックスに関連してよく、また、信号を受信し、該受信信号に基づきハードシンボルを生成するイコライザ１０１０を含み得る。イコライザ１０１０は、本願明細書中の実施形態のいずれかに従い動作できる。例えば、イコライザ１０１０は、エラー分布に少なくとも一部基づき動作モード（例えば、ブラインドまたは決定指示適合モード）を決定するコントローラ（例えば論理）を含んでよい。いくつかの実施形態によれば、システム１０００は、ハードシンボルに関連する情報を外部デバイス（例えば高解像度テレビジョン）に提供するデジタルビデオ出力ポート１０２０をさらに含む。
【００２７】
以下に様々な追加の実施形態を示す。それらは、可能な実施形態すべての定義を構成するのではなく、当業者であれば、多くの他の実施形態も可能であると理解できよう。さらに、以下の実施形態は、説明を明確にするため、簡潔に記載されているが、当業者であれば、必要に応じてこれらおよび他の実施形態および応用を含ませるべく上記記載にどのように変更を加えるかを理解できるであろう。
【００２８】
例えば、四次統計を近似させる回路の特定の設計が記載されていても、他の実施形態に従い他の設計が用いられてよい。同様に、スライサに関連するエラー分布を推定すべく、他の順序統計量が用いられてよい。また、例えば、いかなる実施形態も、ハードまたはソフトいずれかのシンボルに関連するイコライザ出力に関連し得ることに留意されたい。
【００２９】
さらに、スライサエラー分布に関するいくつかの実施形態が記載されており、実施形態は、他のタイプのエラーに関連していてもよい。例えば、図１１は、いくつかの実施形態に従うトレーニングエラーに関連する装置１１００のブロック図である。この実施形態では、トレーニングシーケンスを検出すべくＮシンボル同期相関器１１５０が用いられ、Ｎは、既知のシーケンスの一部の長さを表す（例えば、Ｎは、５１１シンボルトレーニングシーケンスに対する６４と等しくてもよい）。いくつかの実施形態によれば、相関器１１５０は、フィードフォワードフィルタ１１１０およびフィードバックフィルタ１１２０の後に配置されてよい（例えば、フィルタ１１１０および１１２０から出るソフトシンボルは、相関器１１５０を介し送られてよい）。最初のＮシンボルまたは「プリアンブル」が検出されると、シーケンスの残りのシンボルは、トレーニングエラーに基づきフィードバックフィルタ１１２０の係数を適応させるよう（例えば、ＬＭＳ式で）用いられてよい。トレーニングエラーは、例えば、ソフトシンボルと、予測されるトレーニングシーケンスシンボルとの間のエラーを表しているかもしれない。このトレーニングエラーは、スライサエラーと似た特徴を呈してよく、したがって、装置１１００が適切な収束点に達する時を決定する助けとなり得ることに留意されたい。
【００３０】
本願明細書中に記載されるいくつかの実施形態は、単に例示目的のみで存在する。当業者であれば、この説明から、請求項のみによって限定される修正および変更を伴う他の実施形態も実行できることが理解できるであろう。
【図面の簡単な説明】
【００３１】
【図１】いくつかの実施形態に従う装置のブロック図である。
【図２】いくつかの実施形態に従うイコライザのブロック図である。
【図３】いくつかの実施形態に従う、比較的小さいノイズ量がある場合の収束前後のイコライザに関連するエラー分布である。
【図４】いくつかの実施形態に従う、比較的大きいノイズ量がある場合の収束前後のイコライザに関連するエラー分布である。
【図５】いくつかの実施形態に従うモード選択方法のフローチャートである。
【図６】いくつかの実施形態に従うイコライザのブロック図である。
【図７】いくつかの実施形態に従うイコライザに関連する状態図である。
【図８】他の実施形態に従うイコライザに関連する状態図である。
【図９】いくつかの実施形態に従う４番目の順序統計に近似させる回路のブロック図である。
【図１０】いくつかの実施形態に従うシステムのブロック図である。
【図１１】いくつかの実施形態に従うトレーニングエラーに関連する装置のブロック図である。
【図１】
2008544709.tif 000003
【図２】
2008544709.tif 000004
【図３】
2008544709.tif 000005
【図４】
2008544709.tif 000006
【図５】
2008544709.tif 000007
【図６】
2008544709.tif 000008
【図７】
2008544709.tif 000009
【図８】
2008544709.tif 000010
【図９】
2008544709.tif 000011
【図１０】
2008544709.tif 000012
【図１１】
2008544709.tif 000013
【国際調査報告】
2008544709.tif 000014
2008544709.tif 000015
2008544709.tif 000016
2008544709.tif 000017